(57)【要約】【課題】    複数の吐水口を切り替え可能としつつ、コンパクトに収納できかつ長いストロークで進出可能や洗浄ノズルを備えた衛生洗浄装置及びこれを備えたトイレ装置を提供する。【解決手段】    腰掛便器の上部に設けられ洗浄ノズルを備えた衛生洗浄便座装置であって、前記洗浄ノズルは、支持部と、前記支持部に対して進退可能に支持され、一つまたは複数の吐水口を有する吐水部と、前記吐水部と一体的に前記支持部に対して進退可能とされ、入水口と、複数の出水口とを有し、前記入水口に供給された水を前記複数の出水口のいずれかから選択的に放出可能とした切替機構と、前記複数の出水口と、前記一つまたは複数の吐水口と、をそれぞれ接続する複数の水路と、前記入水口に水を供給する給水チューブと、を有し、前記切替機構は、前記支持部または吐水部の中に収容されてなることを特徴とする衛生洗浄便座装置を提供する。【選択図】    図１
2006283399.tif 000002
【特許請求の範囲】
【請求項１】
腰掛便器の上部に設けられ洗浄ノズルを備えた衛生洗浄便座装置であって、前記洗浄ノズルは、
支持部と、
前記支持部に対して進退可能に支持され、一つまたは複数の吐水口を有する吐水部と、
前記吐水部と一体的に前記支持部に対して進退可能とされ、入水口と、複数の出水口とを有し、前記入水口に供給された水を前記複数の出水口のいずれかから選択的に放出可能とした切替機構と、
前記複数の出水口と、前記一つまたは複数の吐水口と、をそれぞれ接続する複数の水路と、
前記入水口に水を供給する給水チューブと、
を有し、
前記切替機構は、前記支持部または前記吐水部の中に収容されてなることを特徴とする衛生洗浄便座装置。
【請求項２】
前記支持部は、略シリンダ状であり、
前記吐水部は、後退した状態において前記略シリンダ状の支持部の中に収容され、
前記切替機構は、前記吐水部が前記後退した状態において前記吐水部とともに前記略シリンダ状の支持部の中に収容されることを特徴とする請求項１記載の衛生洗浄便座装置。
【請求項３】
前記切替機構を駆動するモータをさらに有し、
前記モータは、前記吐水部が前記後退した状態において前記吐水部とともに前記略シリンダ状の支持部の中に収容されることを特徴とする請求項２記載の衛生洗浄便座装置。
【請求項４】
前記支持部は、第１支持部と、前記第１支持部に対して進退可能に支持された第２支持部と、を有し、
前記吐水部は、前記第２支持部に対して進退可能に支持されたことを特徴とする請求項１〜３のいずれか１つに記載の衛生洗浄便座装置。
【請求項５】
前記第１支持部を進退可能に支持する取り付け台をさらに備えたことを特徴とする請求項４記載の衛生洗浄便座装置。
【請求項６】
回転ドラムを有し、前記吐水部が前記支持部に対して前進する時に前記給水チューブを前記回転ドラムから送り出し、前記吐水部が前記支持部に対して後退する時に前記給水チューブを前記回転ドラムに巻き取る巻き取り機構をさらに備えたことを特徴とする請求項１〜５のいずれか１つに記載の衛生洗浄便座装置。
【請求項７】
収容空間を有し、前記吐水部が前記支持部に対して前進する時に前記給水チューブを前記収容空間から送り出し、前記吐水部が前記支持部に対して後退する時に前記給水チューブを前記収容空間に収容する収容機構をさらに備えたことを特徴とする請求項１〜５のいずれか１つに記載の衛生洗浄便座装置。
【請求項８】
腰掛便器と、
請求項１〜７のいずれか１つに記載の衛生洗浄便座装置と、
を備えたことを特徴とするトイレ装置。
【発明の詳細な説明】
【技術分野】
【０００１】
本発明は、衛生洗浄便座装置及びトイレ装置に関し、より具体的には、洋式腰掛便器に腰かけた使用者の「おしり」などを水で洗浄する衛生洗浄便座装置及びこれを備えたトイレ装置に関する。
【背景技術】
【０００２】
衛生洗浄便座装置は、その内部に洗浄水を噴射する洗浄ノズルを進退自在に収容するため、腰掛便器の上面後部に設置して使用する形態のものが主流となっている。そして、洗浄ノズルを進退させたり、腰掛便器ボウル内の臭気の吸い込み口を設けるために、衛生洗浄便座装置を構成する本体ケースの前面が腰掛便器のボウル側に延出し、ボウル開口の一部を塞ぐ形態とされている。
【０００３】
しかし、このように本体ケースがボウル側に延出すると、その裏側などが汚れやすくなる。これに対して、清掃性をよくするために、例えば、本体ケースの延出部分を着脱自在とした構造が開示されている（例えば、特許文献１及び２）。しかし、掃除の際にいちいち延出部分を取り外すのは煩雑であり、また着脱の際などに延出部分を誤ってボウルの溜水内に落としてしまうなどの問題もある。
【特許文献１】特公平５−７４６５６号公報
【特許文献２】特開平６−１６７０４１号公報
【発明の開示】
【発明が解決しようとする課題】
【０００４】
このような問題を解消するためには、衛生洗浄便座装置の本体ケースが腰掛便器のボウルを覆わないように、後方に後退させて設置するとよい。しかし、本体ケースを後方に後退させると、使用者の「おしり」などを洗浄するための洗浄ノズルをその分だけ長いストロークで進出させる必要が生ずる。
【０００５】
またさらに、通常の腰掛便器は、後方にロータンクやフラッシュバルブなどを近接して設ける必要があるために、本体ケースがボウルを覆わないようにケース前面を後退させると、本体ケースの奥行きが小さくなってしまう。ケースの奥行きが小さくなると、洗浄ノズルをコンパクトに収納できる構造にしなければならない。
【０００６】
しかも、洗浄ノズルには、単に水を噴出させるだけでなく、いわゆる「やわらか」モードのように複数の水流を組み合わせて吐水を制御したり、「ビデ」モードのように方向や水流が異なる複数の吐水口を切り替える機能を設けることが望ましい。
【０００７】
本発明は、かかる課題の認識に基づいてなされたものであり、吐水の形態を切り替え可能としつつ、コンパクトに収納できかつ長いストロークで進出可能や洗浄ノズルを備えた衛生洗浄装置及びこれを備えたトイレ装置を提供するものである。
【課題を解決するための手段】
【０００８】
本発明の一態様によれば、
腰掛便器の上部に設けられ洗浄ノズルを備えた衛生洗浄便座装置であって、前記洗浄ノズルは、
支持部と、
前記支持部に対して進退可能に支持され、一つまたは複数の吐水口を有する吐水部と、
前記吐水部と一体的に前記支持部に対して進退可能とされ、入水口と、複数の出水口とを有し、前記入水口に供給された水を前記複数の出水口のいずれかから選択的に放出可能とした切替機構と、
前記複数の出水口と、前記一つまたは複数の吐水口と、をそれぞれ接続する複数の水路と、
前記入水口に水を供給する給水チューブと、
を有し、
前記切替機構は、前記支持部または前記吐水部の中に収容されてなることを特徴とする衛生洗浄便座装置が提供される。
【０００９】
上記構成によれば、複数の吐水口を切り替え可能としつつ、コンパクトに収納できかつ長いストロークで進出可能や洗浄ノズルを備えた衛生洗浄装置を提供することができる。
【００１０】
ここで、前記支持部は、略シリンダ状であり、
前記吐水部は、後退した状態において前記略シリンダ状の支持部の中に収容され、
前記切替機構は、前記吐水部が前記後退した状態において前記吐水部とともに前記略シリンダ状の支持部の中に収容されるものとすれば、収納状態の洗浄ノズルのサイズをコンパクトにしつつ、長いストロークで円滑に進出・後退させることができる。
【００１１】
また、前記切替機構を駆動するモータをさらに有し、前記切替機構を駆動するモータが前記吐水部と一体的に前記支持部に対して進退可能とすれば、収納状態の洗浄ノズルのサイズをさらにコンパクトにしつつ、長いストロークで円滑に進出・後退させることができる。
【００１２】
また、前記支持部は、第１支持部と、前記第１支持部に対して進退可能に支持された第２支持部と、を有し、前記吐水部は、前記第２支持部に対して進退可能に支持されたものとすれば、多段式の構造とすることにより、収納状態の洗浄ノズルのサイズをさらにコンパクトにしつつ、長いストロークで円滑に進出・後退させることができる。
【００１３】
またここで、前記第１支持部を進退可能に支持する取り付け台をさらに備えたものとすれば、さらに多段式の構造とすることにより、収納状態の洗浄ノズルのサイズをさらにコンパクトにしつつ、長いストロークで円滑に進出・後退させることができる。
【００１４】
また、回転ドラムを有し、前記吐水部が前記支持部に対して前進する時に前記給水チューブを前記回転ドラムから送り出し、前記吐水部が前記支持部に対して後退する時に前記給水チューブを前記回転ドラムに巻き取る巻き取り機構をさらに備えたものとすれば、洗浄ノズルが後退する時に給水チューブが衛生洗浄便座装置本体の中で他の要素と干渉して、後退動作を阻害したり、また、余った給水チューブが捻れたり縺れたり他の要素に引っかかって洗浄ノズルの進出動作の障害となるなどの問題を解消できる。
【００１５】
または、収容空間を有し、前記吐水部が前記支持部に対して前進する時に前記給水チューブを前記収容空間から送り出し、前記吐水部が前記支持部に対して後退する時に前記給水チューブを前記収容空間に収容する収容機構をさらに備えたものとしても、洗浄ノズルが後退する時に給水チューブが衛生洗浄便座装置本体の中で他の要素と干渉して、後退動作を阻害したり、また、余った給水チューブが捻れたり縺れたり他の要素に引っかかって洗浄ノズルの進出動作の障害となるなどの問題を解消できる。
【００１６】
また、本発明の他の一態様によれば、腰掛便器と、上記のいずれかの衛生洗浄便座装置と、を備えたことを特徴とするトイレ装置が提供される。  
上記構成によれば、複数の吐水口を切り替え可能としつつ、コンパクトに収納できかつ長いストロークで進出可能や洗浄ノズルを備えたトイレ装置を提供することができる。
【発明の効果】
【００１７】
本発明によれば、吐水の形態を切り替え可能としつつ、コンパクトに収納できかつ長いストロークで進出可能や洗浄ノズルを備えた衛生洗浄装置及びこれを備えたトイレ装置を提供することができ、産業上のメリットは多大である。
【発明を実施するための最良の形態】
【００１８】
以下、図面を参照しつつ本発明の実施の形態について説明する。  
図１は、本発明の実施の形態の第１の具体例の衛生洗浄便座装置の模式斜視図である。
【００１９】
すなわち、腰掛便器３００の上部後方に衛生洗浄便座装置本体５００が設置され、便座４１０が付設されている。また、便座４１０の上に、開閉自在の便蓋をさらに設けてもよい。  
本具体例の衛生洗浄便座装置本体５００は、使用者が便座４１０に座った状態で水を噴射させて「おしり」などを洗浄することができる装置であり、商標名「ウォシュレット」などとして普及しているものと同様の機能を有する。なお、本願明細書において「水」とは冷水のみならず、温水も含むものとする。衛生洗浄便座装置本体５００には、その他にも例えば、濡れた「おしり」を乾かす「温風乾燥機能」や、便座４１０を暖める「便座暖房機能」、腰掛便器内の臭いを除去する「脱臭機能」などを設けることができる。また、使用者の接近を検知して便蓋４００を自動的に開き、使用者がいなくなると便蓋４００を自動的に閉じる「オート開閉機能」を設けることもできる。これらの機能は、衛生洗浄便座装置本体５００に設けられた操作部（図示せず）を適宜操作することにより実行・設定でき、また、トイレの壁面などに設置されたリモコン（図示せず）を操作することにより実行させることも可能である。
【００２０】
またさらに、リモコン操作などにより腰掛便器３００に洗浄水を流す「自動水洗機能」を、衛生洗浄便座装置本体５００に付加してもよい。これは、ロータンク２００やフラッシュバルブの排水機構を動作させる駆動機構を設け、リモコン操作や人体センサなどと連動して、この駆動機構を動作させる信号を衛生洗浄便座装置本体５００から出力させて、腰掛便器３００に自動的に洗浄水を流す機能である。
【００２１】
そして、本具体例においては、衛生洗浄便座装置本体５００の前面５１０に開口５２０が設けられ、塞ぎ板５２５が開閉自在に設けられている。塞ぎ板５２５の裏側には、洗浄ノズルが収容されている。  
図２は、本具体例の洗浄ノズルを表す模式断面図である。すなわち、同図（ａ）は、３段式の洗浄ノズルが衛生洗浄便座装置本体５００内に収容された状態を表し、（ｂ）は、この洗浄ノズルがボウル３１０内に進出した状態を表す。
【００２２】
洗浄ノズル５３０は、取り付け台５３２の上に設けられた略シリンダ状の第１支持部５３４と、第１支持部内に摺動自在に設けられた略シリンダ状の第２支持部５３６と、第２支持部内に摺動自在に設けられた吐水部５３８と、を有する。吐水部５３８には、給水チューブ５３７が接続され、先端付近に設けられた吐水口（図示せず）から、使用者の「おしり」などに向けてお湯や水を噴射可能とされている。
【００２３】
また、図２に例示したように、第１支持部５３４に水路５３４Ｔを設けてもよい。この水路５３４Ｔを、第１支持部５３４の先端付近において内側に向けて開口した吐水口５３４Ｗに連通させ、給水チューブ５３３から、水路５３４Ｔを介して吐水口５３４Ｗから内側に向けて水を放出することにより、第２支持部５３６や吐水部５３８の表面を洗浄することが可能となる。
【００２４】
図３は、本具体例の洗浄ノズルの吐水部５３８の内部構造を表す模式図である。  
また、図４は、吐水部５３８の模式拡大図である。  
また、図５は、吐水部５３８の先端付近の構造を例示する模式斜視図である。
【００２５】
吐水部５３８の先端付近には、第１の吐水口７０２、第２の吐水口７０４、第３の吐水口７０６が設けられている。これら吐水口は、例えば、通常の「おしり洗浄」、「やわらかモード」の「おしり洗浄」、「ビデ洗浄」などの用途に適宜使い分けることができる。すなわち、これら吐水口７０２〜７０６の構造や開口径、吐水方向などを適宜調節することにより、使用者の好みや用途に応じた各種の水流を使い分けることができる。
【００２６】
これら吐水口７０２〜７０６は、接続チューブ７１０、７１２、７１４により切替機構７００に接続されている。切替機構７００は、ステータ７２０とロータ７３０とを有する。後に詳述するように、ステータ７２０には、吐水口の数に対応した複数の通水口が設けられ、接続チューブ７１０、７１２、７１４は、これら通水口のそれぞれと吐水口７０２〜７０６とを接続している。一方、ステータ７２０の上流側には、これに隣接してロータ７３０が設けられている。ロータ７３０は、モータ７４０の出力軸７４２に接続されて回転され、ステータ７２０に設けられた通水口のいずれかを開く役割を有する。給水チューブ５３７から供給された水は、通水路７３６を介して分配室７３８に供給される。分配室７３８に導入された水は、ロータ７３０の回転により選択された通水口を介して第１乃至第３の吐水口７０２〜７０６のいずれかに導かれ、吐水される。
【００２７】
また、分配室７３８とモータ７４０との間には仕切板７３４が設けられ、Ｙパッキン７３２により防水構造が形成されている。つまり、仕切板７３４からみてモータ７４０の側は大気雰囲気にあり、モータ７４０への漏水を確実に防止できる。
【００２８】
図６は、ステータ７２０の正面図である。すなわち、同図は、図５における矢印Ａの方向からステータ７２０を眺めた模式図である。  
ステータ７２０には、吐水口７０２〜７０６の数に合わせて、３つの通水口７２２、７２４、７２６が設けられている。これら通水口７２２、７２４、７２６は、接続チューブ７１０、７１２、７１４によって、第１の吐水口７０２、７０４、７０６にそれぞれ接続されている（図３及び図５参照）。
【００２９】
図７は、ロータ７３０の正面図である。すなわち、同図は、図５における矢印Ａの方向からロータ７３０を眺めた模式図である。  
ロータ７３０には、通水口７３１が設けられている。この通水口７３１は、ロータ７３０の回転角度に応じて、ステータ７２０に設けられた３つの通水口７２２、７２４、７２６のいずれかと連通し、吐水水路を決定する。
【００３０】
図８は、ステータ７２０とロータ７３０とを用いた切替機構７００の動作を説明するための模式図である。  
すなわち、同図（ａ）は、切替機構７００の「止水状態」を表す。この時、ロータの通水口７３１は、ステータの通水口７２２、７２４、７２６のいずれとも連通せず、分配室７３８（図３参照）の水は吐水口７０２〜７０６のいずれにも供給されない。  
次に、図８（ｂ）は、切替機構７００により第１の通水口７２２が選択された状態を表す。この時、ロータの通水口７３１は、ステータの通水口７２２と連通し、分配室７３８の水は吐水口７０２に供給される（図５参照）。  
また、図８（ｃ）は、切替機構７００により第２の通水口７２４が選択された状態を表す。この時、ロータの通水口７３１は、ステータの通水口７２４と連通し、分配室７３８の水は吐水口７０４に供給される（図５参照）。    
次に、図８（ｄ）は、切替機構７００により第３の通水口７２６が選択された状態を表す。この時、ロータの通水口７３１は、ステータの通水口７２６と連通し、分配室７３８の水は吐水口７０６に供給される（図５参照）。  
以上説明したように、本実施形態によれば、ロータ７３０を適宜回転させることにより、第１乃至第３の吐水口７０２〜７０６のいずれかを選択して吐水させることができる。
【００３１】
また、本実施形態によれば、ロータ７３０の回転角度を制御することにより、水量を調節することもできる。  
図９は、水量を制御する方法を説明するための模式図である。  
すなわち、同図（ａ）乃至（ｃ）に表したように、ステータの通水口７２２に対してロータの通水口７３１を適宜ずらすことにより、連通口の開度を制限して水路のコンダクタンスを絞ることができる。その結果、吐水口に供給される水圧（あるいは水量）を所望のレベルに制御することが可能となる。図９（ａ）は、水圧を絞った場合を表し、同図（ｂ）は水圧を増加させた場合、同図（ｃ）は水圧を最大レベルとした場合をそれぞれ表す。ロータ７３０を回転させるモータ７４０としてステッピング・モータを用いれば、このような角度の調節は確実かつ容易である。  
以上説明したように、本実施形態によれば、ロータ７３０を適宜回転させることにより、第１乃至第３の吐水口７０２〜７０６のいずれかを選択して吐水させたり、また、その水圧（または水量）を好みのレベルに調節することができる。  
そして、本実施形態によれば、図３に例示したように、ステータ７２０とロータ７３０とを用いた吐水口切替機構とモータ７４０とを吐水部５３８に内蔵させることにより、吐水部５３８に一本の給水チューブ５３７を接続するだけで済む。つまり、第１支持部５３４と第２支持部５３６の中を通して吐水部５３８に至る給水チューブ５３７を一本のみにできる。その結果として、給水チューブに干渉されることなく、多段式の洗浄ノズルを円滑に進出・後退させることができる。
【００３２】
図１０は、比較例の洗浄ノズルの構造を表す模式断面図である。  
すなわち、本比較例の場合、切替機構７００は、第１支持部５３４の基端部付近に設けられている。この場合、切替機構７００への給水は、一本の給水チューブ５３７のみでよい。しかし、切替機構７００から、吐水部５３８の先端に設けられた吐水口７０２、７０４、７０６まで、それぞれ接続チューブ７１０、７１２、７１４を配管する必要が生ずる。第１支持部５３４、第２支持部５３６、吐水部５３８は、それぞれ略シリンダ状の形態とすることが望ましいが、その内部スペースは限られており、３本の接続チューブを配管すると、これら接続チューブが干渉して洗浄ノズル５３０の進出や後退の動作に支障が生じたり、また、駆動力伝達要素などのその他の要素を内蔵させることが困難となる。
【００３３】
特に、図１及び図２に表したように、衛生洗浄便座装置本体５００が便器のボウル３１０の上に延出しないように前面５１０をボウル３１０の後端まで後退させた場合、衛生洗浄便座装置本体５００の奥行き寸法が制限される。従って、洗浄ノズル５３０をコンパクトに収納し、かつ長いストロークで進出できるような多段式の構造にする必要がある。このような場合に、ノズルの内部に複数の接続チューブを配管することは技術的な問題を生ずることがより多くなる。  
これに対して、本具体例によれば、洗浄ノズル５３０の先端の吐水部５３８に切替機構７００及びモータ７４０を収容することにより、洗浄ノズルの中の水配管を給水チューブ一本のみで済ますことができる。その結果として、多段式の構造とした場合にも、円滑に進出・後退させ、コンパクトに収納でき、長いストロークで進出する洗浄ノズルを実現できる。なお、モータ７４０に配線（図示せず）をする必要があるが、電気配線は水の配管と比較するとはるかに細く、また柔軟性にも富む。従って、洗浄ノズルの進出・後退の動作の妨げとなることは殆どない。
【００３４】
なお、本発明を適用して好適な洗浄ノズル５３０の別の態様として、一つの吐水口に対して、通水口７２２、７２４、７２６のうちの２つ以上の通水口から選択的または同時に給水するようにして、複数の流路の組合せにより吐水口からの洗浄を多様に制御する形式の洗浄ノズルを挙げることができる。
【００３５】
図１１は、一つの吐水口に複数の流路が接続された洗浄ノズルを例示する模式図である。  本具体例の洗浄ノズルは、吐水部５３８に旋回室７０７が設けられ、その軸心上方に開口した吐水口７０８が形成されている。旋回室７０７には第１の接続チューブ７１０と第２の接続チューブ７１２を介してそれぞれ水が供給される。これら接続チューブ７１０、７１２は、図１乃至図８に関して前述したように、切替機構７００に接続されている。
【００３６】
第１の接続チューブ７１０を介して導入される水は、旋回室７０７の軸心に向かって流入する。このように軸心に向かって流入した水は、矢印Ｗ１で表したように旋回室７０７の軸に沿って上方に流出し、略円柱状に直進する直進吐水Ｓ１を形成する。  
【００３７】
一方、第２の接続チューブ７１２を介して導入される水は、旋回室７０７の内周壁面に沿って流入する。このように内周壁面に沿って流入した水は、略円筒状の旋回室７０７の中で矢印Ｗ２で表したように旋回流を形成し、吐水口７０８から螺旋状に広がる旋回吐水Ｓ２を形成する。  
直進吐水Ｓ１は「おしり」などの狭い範囲を強く洗浄することができ、また空気の巻き込み量も少ないので、柔らかな感触は相対的に少ない。これに対して、旋回吐水Ｓ２は、「おしり」などの広い範囲をソフトに洗浄することができる。また、空気の巻き込み量も多いので、柔らかな感触が相対的に大きい。
【００３８】
本発明によれば、切替機構７００により第１の接続チューブ７１０及び第２の接続チューブ７１２のいずれかに切り替えて水を供給することにより、直進吐水Ｓ１と旋回吐水Ｓ２を切り替えることができる。従って、長いストロークの洗浄ノズルなどの先端にこのような吐水口７０８を設け、また、その先端付近に切替機構７００を収容することにより、一つの吐水口からの吐水の形態を多様に制御することが可能となる。
【００３９】
さらに、切替機構７００のロータ７３０の通水口７３１を、ステータ７２０の通水口７２２、７２４、７２６のうち２つの通水口に同時に連通するようにすれば、第1の接続チューブ７１０及び第２の接続チューブ７１２の両方から同時に水が供給されるので、広い範囲を強く洗浄することも可能である。
【００４０】
図１２は、本実施形態の第２の具体例を表す模式断面図である。同図については、図１乃至図１０に関して前述したものと同様の要素には同一の符号を付して詳細な説明は省略する。  
本具体例においても、切替機構７００は吐水部５３８に内蔵されている。ただし、切替機構７００を駆動させるモータ７４０は吐水部５３８の内部ではなく、基端部に付設されている。この構造は、モータ７４０のサイズがやや大きいような場合に有利である。  
本具体例においても、モータ７４０がロータ７３０を回転させることにより、ステータ７２０に設けられた通水口のいずれかが選択され、分配室７３８の水がこれに対応した吐水口に供給される。そして、吐水部５３８に至る水配管は、給水チューブ５３７のみで済むため、多段式ノズルにおいて、その進出・後退動作が接続チューブの干渉を受けたり、また、ノズルの駆動機構などを内蔵するスペースがなくなるという問題を解消できる。
【００４１】
ところで、本実施形態においては、洗浄ノズルの中に配管を一本の給水チューブ５３７のみとすることができるが、ノズルを多段式にして長いストロークを進退させる場合など、長い給水チューブ５３７がノズルの進退を阻害したり、衛生洗浄便座装置本体５００の中で他の要素に干渉しないようにすることが望ましい。  
図１３は、給水チューブの巻き取り機構を設けた衛生洗浄便座装置本体５００を例示する模式図である。  
すなわち、洗浄ノズル５３０に隣接して、巻き取り機構７５０が設けられている。巻き取り機構７５０は、回転ドラム７５２と、これを回転させるモータ７５４と、を有する。洗浄ノズル５３０から伸びる給水チューブ５３７は回転ドラム７５２に適宜巻き取られ、その給水口７５９は固定された状態を維持できる。モータ７５４は、洗浄ノズル５３０が後退する時には、その動作に合わせて回転ドラム７５２を回転させることにより給水チューブ５３７を巻き取る。そして、洗浄ノズル５３０が進出する時には、その動作に合わせて回転ドラム７５２を回転させることにより、給水チューブ５３７を送り出すことができる。  
この場合、モータ７５４は、洗浄ノズル５３０を進出・後退させる駆動機構の動力源と併用してもよく、独立した動力源として設けてもよい。  
このような巻き取り機構７５０を設けることにより、洗浄ノズル５３０が後退する時に給水チューブ５３７が衛生洗浄便座装置本体５００の中で他の要素と干渉して、後退動作を阻害したり、また、余った給水チューブ５３７が捻れたり縺れたり、他の要素に引っかかって洗浄ノズル５３０の進出動作の障害となるなどの問題を解消できる。
【００４２】
図１４は、巻き取り機構７５０の他の具体例を表す模式図である。  
すなわち、本具体例の場合、回転ドラム７５２は、給水フランジ７５６に回転可能に取り付けられている。水は、給水フランジ７５６に設けられた給水口から回転ドラムの中の導入室７５１に供給される。また、給水フランジ７５６と回転ドラム７５２との間には、防水シール７５８が設けられ、回転動作を確保しつつ漏水を防止している。一方、回転ドラム７５２には、取り出し口７５３が設けられ、給水チューブ５３７は、この取り出し口７５３に接続されている。給水チューブ５３７の他端は、図３や図１２などに例示した如く、洗浄ノズル５３０の吐水部５３８に内蔵された切替機構７００に接続されている。  
本具体例においても、洗浄ノズル５３０の進退に合わせて回転ドラム７５２を回転させることにより、余った給水チューブ５３７を適宜巻き取りあるいは送り出すことができる。
【００４３】
本実施形態においては、洗浄ノズル５３０の進退に合わせて給水チューブ５３７を引き込みあるいは送り出す収容機構を設けることもできる。  
図１５及び図１６は、給水チューブ５３７の収容機構を例示する模式図である。すなわち、図１５は、洗浄ノズル５３０が進出した状態を表し、図１６は、洗浄ノズル５３０が収納された状態を表す。  
この収容機構７６０は、ガイド板７６２と、その裏面側に設けられた滑車７６４及びこの滑車７６４を矢印Ａの方向に引っ張るバネ７６６と、を有する。ガイド板７６２は、衛生洗浄便座装置本体５００のケース裏面板５００Ｒと対向して、それらの間に給水チューブ５３７を収容する収容空間を形成している。滑車７６４とバネ７６６は、この収容空間において、給水チューブ５３７を矢印Ａの方向に引き込む作用を有する。洗浄ノズル５３０の基端部には、給水チューブ５３７が円滑に収容空間に導かれるように、ローラ７６８が設けられている。
【００４４】
図１５に表したように、洗浄ノズル５３０が進出した状態においては、滑車７６４はガイド板７６２の裏面において洗浄ノズル５３０の基端部の方向に移動し、給水チューブ５３７は、円滑に送り出されている。  
一方、図１６に表したように洗浄ノズル５３０が後退し収納された状態においては、滑車７６４及びバネ７６６は矢印Ａで表した方向に給水チューブ５３７を引き込むことにより、スリムな収容空間の中にうまく収容することができる。  
このような収容機構７６０を設けることにより、余った給水チューブ５３７が衛生洗浄便座装置本体５００の中で他の要素と干渉したり、捻れたり縺れたり、他の要素に引っかかって洗浄ノズル５３０の進出動作の障害となるなどの問題を解消できる。
【００４５】
次に、本実施形態の洗浄ノズル５３０の駆動機構の一例について説明する。  
図１７及び図１８は、本実施形態において設けることができる洗浄ノズルの駆動機構を例示する模式断面図である。    
すなわち、取り付け台５３２には第１モータ６５２、第２モータ６５４、第３モータ６５６がそれぞれ設けられている。第１モータ６５２は、第１支持部５３４をスライドさせる。その動力伝達機構としては、例えば、ベルト式、歯車式、ワイヤ式などの各種の方式を用いることができる。  
また、第２モータ６５４は、例えばワイヤガイド６６３によりガイドされるワイヤ６６２を送り出しまたは引き戻すことにより、第２支持部５３６を取り付け台５３２に対して相対的にスライドさせる。第３モータ６５６も、例えばワイヤガイド６６５によりガイドされるワイヤ６６４を送り出しまたは引き戻すことにより、吐水部５３８を取り付け台５３２に対して相対的にスライドさせる。  
このように３つのモータ６５２、６５４、６５６を設けることにより、３段式の洗浄ノズルを所定のシーケンスで進出させ後退させることができる。  
なお、本実施形態において用いる駆動機構は、図１７及び図１８に例示したものには限定されない。例えば、ひとつのモータと、バネなどの付勢手段などと、を適宜組み合わせることにより、３段式あるいはその他の多段式の洗浄ノズルを所定のシーケンスで進出させ後退させることが可能である。
【００４６】
図１９は、本実施形態の衛生洗浄便座装置の他の具体例を表す模式図である。  
すなわち、同図は、衛生洗浄便座装置から便座を取り外した状態を表す。本具体例においては、衛生洗浄便座装置本体５００がボウル３１０に延出せず、その前面５１０が腰掛便器３００のボウル３１０の開口の形状に沿って湾曲している。なおここで、「後方」とは、図１に表したように、通常ロータンク２００やフラッシュバルブなどが設置される側であり、通常の使用態様において使用者からみて遠い側を意味する。そして、この湾曲した前面５１０の左右には、前方に向けて延出した延出部５００Ｐが設けられている。また、湾曲した前面５１０には、「おしり」を洗浄するための洗浄ノズルを出し入れするための開口部５２０が設けられている。開口部５２０には、塞ぎ板５２５が設けられ、洗浄ノズル５３０は、この塞ぎ板５２５の裏側に収容されている。
【００４７】
このように、衛生洗浄便座装置本体５００がボウル３１０に延出せず、湾曲した前面５１０がボウル３１０の開口部の湾曲側壁面と略一体的な曲面を形成していると、汚れにくく、また、男性の小用の際などにも小水がかかりにくくなる。また、掃除の際にいちいち衛生洗浄便座装置本体５００を腰掛便器３００から取り外す手間が省け、掃除が極めて容易となる。またさらに、見た目にもすっきりとして、見栄えがよく、使用者に対して清潔感や衛生感を与え、快適な使い心地のトイレ装置を提供できる。
【００４８】
そして、本実施形態によれば、洗浄ノズル５３０の吐水部５３８に切替機構７００を設けることにより、洗浄ノズル５３０の内部の配管を一本にできる。その結果として、進出・後退の動作が円滑な多段式の洗浄ノズル５３０を実現できる。従って、図１９などに表したように奥行きが制限された衛生洗浄便座装置本体５００の中に収容でき、かつ、ボウル３１０の後端まで後退した前面５１０から長いストロークで進出させて、使用者の「おしり」などを確実に洗浄することができる衛生洗浄便座装置を実現できる。
【００４９】
以上、具体例を参照しつつ、本発明の実施の形態について説明した。しかし、本発明は、これらの具体例に限定されるものではない。例えば、第１支持部の形状は、第２支持部を取り囲むシリンダ状には限定されず、第２支持部を進退可能に支持できる形状及び構造を有するものであればよい。同様に、第２支持部についても、その形状は吐水部を取り囲むシリンダ状には限定されず、吐水部を進退可能に支持できる形状及び構造を有するものであればよい。  
また、洗浄ノズルは３段式のものに限定されず、２段式あるいは４段以上の多段式であってもよい。
【００５０】
また、図１乃至図１９に関して前述した特徴部分は、技術的な可能な範囲においていかようにも組合せることができ、これら組合せにより得られた衛生洗浄便座装置及びトイレ装置についても、本発明の要旨を含む限りにおいて本発明の範囲に包含される。
【００５１】
また、本発明の衛生洗浄便座装置及びトイレ装置に含まれる洗浄ノズル、脱臭装置、温風乾燥装置、着座センサ、筺体、リモコン、腰掛便器、ロータンクなどの各要素については、当業者が適宜設計変更することにより本発明を同様に実施し、同様の効果を得ることができるものも本発明の要旨を含む限り、本発明の範囲に包含される。
【００５２】
その他、本発明の実施の形態として上述した衛生洗浄便座装置及びトイレ装置を基にして、当業者が適宜設計変更して実施しうるすべての衛生洗浄便座装置及びトイレ装置も同様に本発明の範囲に属する。
【図面の簡単な説明】
【００５３】
【図１】本発明の実施の形態の第１の具体例の衛生洗浄便座装置本体の模式斜視図である。
【図２】（ａ）は、３段式の洗浄ノズルが衛生洗浄便座装置本体５００内に収容された状態を表し、（ｂ）は、この洗浄ノズルがボウル３１０内に進出した状態を表す模式図である。
【図３】本発明の具体例の洗浄ノズルの吐水部５３８の内部構造を表す模式図である。
【図４】吐水部５３８の模式拡大図である。
【図５】吐水部５３８の先端付近の構造を例示する模式斜視図である。
【図６】ステータ７２０の正面図である。
【図７】ロータ７３０の正面図である。
【図８】ステータ７２０とロータ７３０とを用いた切替機構７００の動作を説明するための模式図である。
【図９】水量を制御する方法を説明するための模式図である。
【図１０】比較例の洗浄ノズルの構造を表す模式断面図である。
【図１１】１つの吐水口に複数の流路が接続された洗浄ノズルを表す模式図である。
【図１２】本発明の実施形態の第２の具体例を表す模式断面図である。
【図１３】給水チューブの巻き取り機構を設けた衛生洗浄便座装置本体５００を例示する模式図である。
【図１４】巻き取り機構７５０の他の具体例を表す模式図である。
【図１５】給水チューブ５３７の収容機構を例示する模式図である。
【図１６】給水チューブ５３７の収容機構を例示する模式図である。
【図１７】本実施形態において設けることができる洗浄ノズルの駆動機構を例示する模式断面図である。
【図１８】本実施形態において設けることができる洗浄ノズルの駆動機構を例示する模式断面図である。
【図１９】本発明の実施形態の衛生洗浄便座装置の他の具体例を表す模式図である。
【符号の説明】
【００５４】
２００ ロータンク
３００ 腰掛便器
３１０ ボウル
４００ 便蓋
４１０ 便座
５００ 衛生洗浄便座装置本体
５００Ｐ 延出部
５００Ｒ ケース裏面板
５１０ 前面
５２０ 開口部
５２５ 塞ぎ板
５３０ 洗浄ノズル
５３２ 取り付け台
５３３ 給水チューブ
５３４ 第１支持部
５３４Ｔ 水路
５３４Ｗ 吐水口
５３６ 第２支持部
５３７ 給水チューブ
５３８ 吐水部
６５２ 第１モータ
６５４ 第２モータ
６５６ 第３モータ
６６２ ワイヤ
６６３ ワイヤガイド
６６４ ワイヤ
６６５ ワイヤガイド
７００ 切替機構
７０７ 旋回室
７０２、７０４、７０６、７０８ 吐水口
７１０、７１２、７１４ 接続チューブ
７２０ ステータ
７２２、７２４、７２６ 通水口
７３０ ロータ
７３１ 通水口
７３２ Ｙパッキン
７３４ 仕切板
７３６ 通水路
７３８ 分配室
７４０ モータ
７４２ 出力軸
７５０ 巻き取り機構
７５１ 導入室
７５２ 回転ドラム
７５３ 取り出し口
７５４ モータ
７５６ 給水フランジ
７５８ 防水シール
７５９ 給水口
７６０ 収容機構
７６２ ガイド板
７６４ 滑車
７６６ バネ
７６８ ローラ
Ａ 矢印
【図１】
2006283399.tif 000003
【図２】
2006283399.tif 000004
【図３】
2006283399.tif 000005
【図４】
2006283399.tif 000006
【図５】
2006283399.tif 000007
【図６】
2006283399.tif 000008
【図７】
2006283399.tif 000009
【図８】
2006283399.tif 000010
【図９】
2006283399.tif 000011
【図１０】
2006283399.tif 000012
【図１１】
2006283399.tif 000013
【図１２】
2006283399.tif 000014
【図１３】
2006283399.tif 000015
【図１４】
2006283399.tif 000016
【図１５】
2006283399.tif 000017
【図１６】
2006283399.tif 000018
【図１７】
2006283399.tif 000019
【図１８】
2006283399.tif 000020
【図１９】
2006283399.tif 000021